(57)【要約】【課題】  指の挿入方向が数通りに限定され、また、装着したリモートコントロール装置が指周りに回転しないことを課題とする。【解決手段】   指挿入孔１４は、指の断面形状とほぼ同じ形状の略楕円形状とされ、断面形状の横軸と縦軸の長さが異なる形状とされている。ユーザーが指を挿入することで、指挿入孔１４の長軸が指の断面形状の長軸と略平行となるように相対的に回転して、基体部１２が指に装着される。すなわち、指が指挿入孔１４に挿入される方向が限定されるので、ユーザーの迷いが減り、使い勝手が良くなる。また、スイッチ１６、１８が設けられた位置によって、正しい装着方向が推定できる。【選択図】    図１
2005094425.tif 000002
【特許請求の範囲】
【請求項１】
操作者の指に装着可能なリモートコントロール装置において、
操作ボタンが設けられた基体部と、
前記基体部に形成され、指に装着される装着部と、を備え、
前記装着部の断面形状の横軸と縦軸の長さが異なることを特徴とするリモートコントロール装置。
【請求項２】
前記装着部は、略楕円形状の指挿入孔であることを特徴とする請求項１に記載のリモートコントロール装置。
【請求項３】
前記指挿入孔の長軸と短軸の長さの比（長軸／短軸）が、１．０５〜１．５０であることを特徴とする請求項１又は請求項２に記載のリモートコントロール装置。
【請求項４】
前記装着部は、ポリアセタールで形成されたことを特徴とする請求項１〜請求項３のいずれかに記載のリモートコントロール装置。
【請求項５】
前記指挿入孔の孔壁の一部が切り開かれていることを特徴とする請求項２〜請求項４のいずれかに記載のリモートコントロール装置。
【請求項６】
前記指挿入孔の孔壁の一部を弾性材で形成したことを特徴とする請求項５に記載のリモートコントロール装置。
【請求項７】
前記装着部は、前記基体部に貫通して形成されたことを特徴とする請求項１〜請求項６のいずれかに記載のリモートコントロール装置。
【請求項８】
前記基体部には、信号発信手段が設けられたことを特徴とする請求項１〜請求項７のいずれかに記載のリモートコントロール装置。
【請求項９】
前記信号発信手段には、光又は電波が用いられることを特徴とする請求項８に記載のリモートコントロール装置。
【請求項１０】
短軸を基準として、短軸と長軸の交点から±８０°の振り角度の範囲に、前記信号発信手段を設けたことを特徴とする請求項２〜請求項９のいずれかに記載のリモートコントロール装置。
【請求項１１】
前記操作ボタンは、情報を選択又は決定するスイッチであることを特徴とする請求項１〜請求項１０のいずれかに記載のリモートコントロール装置。
【発明の詳細な説明】
【技術分野】
【０００１】
本発明は、電気・電子機器の機能を遠隔で操作もしくは制御するためのリモートコントロール装置に関する。
【背景技術】
【０００２】
ビデオテープレコーダ（ＶＴＲ）、テレビジョン受像機（ＴＶ）、ＣＤ／ＬＤ／ＤＶＤプレーヤ等の映像機器や音響機器（以下、「電気・電子機器」と言う）は、リモートコントロール装置で、設定された種々の動作を操作でき、もしくは制御できるように構成されていることが多い。
【０００３】
また、電気・電子機器の最たるものとして、コンピュータが挙げられる。このコンピュータのリモートコントロール装置として、マウス、タブレット等が用いられており、これらによって、カーソルの移動方向と移動量の検出信号がコンピュータに送信されるようになっている。
【０００４】
しかし、例えば、マウスを使用するためには、マウスを掌握する必要があり、一旦、コンピュータの画面から視線を外すことになる。このため、マウスを掌握してコンピュータの画面に視線を戻すまで時間を要し、コンピュータの作業の効率が低下してしまう。
【０００５】
そこで、身体、例えば指にリモートコントロール装置を装着して、コンピュータの作業効率の低下を解消しようとした提案がある（特許文献１、２参照）。
【０００６】
特許文献１では、指先端にリモートコントロール装置としてのポインティングデバイスを装着する構成となっているが、キーボードを使用する場合には、このポインティングデバイスを指先から脱着しなければならず面倒である。
【０００７】
また、特許文献２では、環状のジョグダイヤルを指に装着する構成となっており、基体部を指に装着したとき基体部から指先が出るので、ジョグダイヤルを指に装着した状態でキーボードを使用することができる。しかし、指に装着する部分（装着部）は環状となっているため、ユーザーがジョグダイヤルに指を挿入しようとしたとき、どの向きからでも指を挿入することができ、正しい位置に装着されない場合が考えられる。正しい位置で指に装着されないと、ジョグダイヤルの操作部が、使用に際して適正な位置にこないので、ユーザーにとって操作しづらくなる。
【０００８】
また、装着部が環状であるため、ジョグダイヤルは指の周りを回転してしまう。指周りの回転を防止するには、他の指で基体部を押さえる必要が生じ、作業がしにくくなってユーザーにストレスを与えてしまう。
【特許文献１】特開２０００−２０７１１９号公報（第３−４項、第４図）
【特許文献２】特開２０００−２００１３３号公報（第４項、第１図）
【発明の開示】
【発明が解決しようとする課題】
【０００９】
本発明は上記事実を考慮し、指の挿入方向が数通りに限定され、また、装着したリモートコントロール装置が指周りに回転しないようにすることを目的とする。
【課題を解決するための手段】
【００１０】
請求項１に記載の発明は、操作者の指に装着可能なリモートコントロール装置において、操作ボタンが設けられた基体部と、前記基体部に形成され、指に装着される装着部と、を備え、前記装着部の断面形状の横軸と縦軸の長さが異なることを特徴としている。
【００１１】
請求項１に記載の発明によれば、操作ボタンが設けられた基体部には、断面形状の横軸と縦軸の長さが異なるように、装着部が形成されている。指の断面形状は、手の甲に対して略平行方向を長軸とする略楕円形状をしており、ユーザーが装着部に指を挿入することで、装着部の断面形状の長軸が指の断面形状の長軸と略平行となる方向に相対的に回転して、基体部は指に装着される。すなわち、指を装着部に装着する方向が限定されるので、ユーザーの迷いが減り、使い勝手が良くなる。また、操作ボタンが設けられた位置によって、正しい装着方向が推定できる。
【００１２】
また、装着部の長軸が、指の断面の楕円形状の長軸に平行となるように、装着部に装着されるので、装着部が指周りに回転することがなく、他の指で基体部を押さえることなしに、操作ボタンを操作することができる。
【００１３】
さらに、操作ボタンを操作する毎に、リモートコントロール装置を掌握する必要がないので、視線を移動することなく、リモートコントロール操作をスムーズに行うことができる。
【００１４】
請求項２に記載の発明は、前記装着部は、略楕円形状の指挿入孔であることを特徴としている。
【００１５】
請求項２に記載の発明によれば、装着部は、指の断面形状とほぼ同じ形状の略楕円形状の指挿入孔とされていることから、指挿入孔の長軸が、指の断面の長軸と平行となるように指挿入孔に指が挿入されるので、装着部に指が挿入される方向が限定される。これによって、装着部への指の装着方向の確定がしやすくなる。
【００１６】
また、楕円形状の指挿入孔の長軸と指の断面形状の長軸が平行となり、指にフィットしやすいので、基体部が指周りに回転するのを規制する。これにより、操作ボタンを操作する際に、リモートコントロール装置が指の周りを回ることがないように、他の指で押さえる必要がなく、リモートコントロール操作が行いやすい。
【００１７】
請求項３に記載の発明は、前記指挿入孔の長軸と短軸の長さの比（長軸／短軸）が、１．０５〜１．５０であることを特徴としている。
【００１８】
請求項３に記載の発明によれば、指挿入孔の長軸と短軸の長さの比（長軸／短軸）が、１．０５〜１．５０の範囲内にあるとき、指挿入孔は一般のユーザーの指の断面の形状に対応したサイズになるので、装着した時に指にフィットする。
【００１９】
請求項４に記載の発明は、前記装着部は、ポリアセタールで形成されたことを特徴としている。
【００２０】
請求項４に記載の発明によれば、装着部を成形する材料として摩擦係数の小さいポリアセタールを用いることで、装着部に指をスムーズに挿入できる。従って、指の適正な位置に装着部を挿入することができる。
【００２１】
請求項５に記載の発明は、前記指挿入孔の孔壁の一部が切り開かれていることを特徴としている。
【００２２】
請求項５に記載の発明によれば、指挿入孔の孔壁の一部を切り開くことで、指挿入孔のサイズより大きい指を挿入した場合には、孔壁を切り開いた部分が広がる。これによって、ユーザーの指が指挿入孔よりも大きい場合でも、指挿入孔に指を挿入することができる。したがって、ユーザーの指の大きさに合わせて、何タイプものリモートコントロール装置を用意する必要がなく、１台のリモートコントロール装置でほぼ全てのユーザーの指に対応させることができるため、コストがかからない。
【００２３】
請求項６に記載の発明は、前記指挿入孔の孔壁の一部を弾性材で形成したことを特徴としている。
【００２４】
請求項６に記載の発明によれば、指挿入孔の孔壁の一部が弾性材で形成されており、指を挿入したとき指挿入孔は指の断面形状に合わせて広がろうとする。ここで、弾性材の復元力によって孔壁は元に戻ろうとして、指挿入孔に挿入した指の形状にフィットするので、基体部は指周りに回転しない。
【００２５】
請求項７に記載の発明は、前記装着部は、前記基体部に貫通して形成されたことを特徴としている。
【００２６】
請求項７に記載の発明によれば、装着部は基体部を貫通しているので、基体部を指に装着したとき、基体部から指の先端が出る。これにより、基体部を指に装着した状態で指先を使うことができるので、例えばキーボードのキーを叩くなどの作業ができる。
【００２７】
請求項８に記載の発明は、前記基体部には、信号発信手段が設けられたことを特徴としている。
【００２８】
請求項８に記載の発明によれば、基体部に設けられた信号発信手段から、信号が発信される。これにより、リモートコントロール装置の情報を、電機・電子機器に伝達することができる。
【００２９】
請求項９に記載の発明は、前記信号発信手段には、光又は電波が用いられることを特徴としている。
【００３０】
請求項９に記載の発明によれば、基体部に設けられた信号発信手段から、光又は電波が発信される。これにより、基体部に信号線等を接続する必要がないので、動作範囲の制約を受けない。
【００３１】
請求項１０に記載の発明は、短軸を基準として、短軸と長軸の交点から±８０°の振り角度の範囲に、前記信号発信手段を設けたことを特徴としている。
【００３２】
請求項１０に記載の発明によれば、基体部に形成した指挿入孔の短軸を基準として、短軸と長軸の交点から±８０°の範囲に信号発信手段を設けることで、信号発信手段から発信された光が他の指に遮られることがない。これにより、信号発信手段からの信号が、信号を受信する側に確実に届く。
【００３３】
請求項１１に記載の発明は、前記操作ボタンは、情報を選択又は決定するスイッチであることを特徴としている。
【００３４】
請求項１１に記載の発明によれば、リモートコントロール装置の基体部に、情報を選択したり決定したりするスイッチを設けることで、リモートコントロール装置として適用範囲が広がり、有用性が高まる。また、このようにスイッチを設けることで、ユーザーの指に装着するときの装着方向が決定される。
【発明の効果】
【００３５】
本発明は上記構成としたので、指の挿入方向が数通りに限定され、また、装着したリモートコントロール装置が指周りに回転しない。
【発明を実施するための最良の形態】
【００３６】
図１には、本発明の第１の実施形態に係るリモートコントロール装置１０の一例を示した。
【００３７】
リモートコントロール装置１０は、略カマボコ状とした基体部１２を備えている。基体部１２の中央には、ユーザーの人差し指が挿入可能な指挿入孔１４が貫通しており、指挿入孔１４は、人差し指の断面の形状に合わせて略楕円形状とされている。この指挿入孔１４は、リモートコントロール装置１０を指に装着したとき、長軸が手の甲に対して略平行となるように形成されている。
【００３８】
第１実施形態においては、この指挿入孔１４の楕円のサイズは、長軸Ｌを１６．８ｍｍ、短軸Ｓを１５．０ｍｍとした。また、基体部１２の幅方向の寸法Ｂは１０ｍｍとし、樹脂材料（ポリアセタール）で成形した。基体部１２を成形する材料として、摩擦係数が小さいポリアセタールを用いることで、指挿入孔１４に指をスムーズに挿入できる。従って、指の適正な位置に基体部１２を装着することができる。
【００３９】
なお、楕円の長軸Ｌと短軸Ｓの寸法は、この数値に限定されるものではなく、長軸Ｌと短軸Ｓの比（長軸／短軸）が１．０５〜１．５０であれば良い。
【００４０】
ここで、表１に、成人の人差し指の断面の長軸と短軸の測定結果を示す。測定箇所は、右手及び左手の人差し指の、それぞれ第１関節と第２関節の間であり、この部分の長軸と短軸の値を、ノギスで測定した。
【００４１】
【表１】
2005094425.tif 000003
以上の測定結果より、長軸Ｌと短軸Ｓの比（長軸／短軸）が１．０５〜１．５０であれば、指挿入孔１４に人差し指を挿入したとき、基体部１２は人差し指の第１関節と第２関節の間にフィットすることがわかる。
【００４２】
基体部１２の側面１２Ａには、２つのスイッチ１６、１８が設置されている。スイッチ１６、１８は、指挿入孔１４に人差し指を挿入したとき、親指側に人差し指の挿入方向に沿って並列に設置されている。これにより、人差し指にリモートコントロール装置１０を装着したとき、親指でスイッチ１６、１８を操作することができるようになっている（図７参照）。また、スイッチ１６、１８は、指挿入孔１４に指を挿入したとき、親指で操作しやすいように、基体部１２の側面１２Ａの、上面１２Ｂと反対側寄りに設置されている。
【００４３】
このスイッチ１６、１８は、電源のＯＮ又はＯＦＦの機能に相当させている。スイッチ１６、１８を操作することで、信号線１９を介して電気・電子部品（図示省略）に信号が送られるようになっている。これにより、電気・電子部品の電源がＯＮ又はＯＦＦされる。
【００４４】
なお、第１実施形態では、スイッチ１６、１８は、指の挿入方向に沿って配列させたが、スイッチ１６、１８の配列方向は、特にこの形態に限定されるものではない。例えば、指の挿入方向に対して直交する方向に配列してもよい。
【００４５】
また、第１実施形態では、スイッチを２つとしたが、スイッチの個数は２つとは限らず、３つ以上配置してもよい。さらに、スイッチ１６、１８を配置する面は、基体部１２に人差し指を挿入した時の親指側に限らず、使いやすさを考慮してその他の面に配置してもよい。また、スイッチ１６とスイッチ１８を共に同一の面に配置させる必要はなく、異なる面に配置してもよい。このように、スイッチはリモートコントロール装置１０の使用形態によって使いやすい位置に配置させることができる。
【００４６】
さらに、信号線１９は基体部１２のスイッチ１６、１８が設置された反対側の側面１２Ａで、図２に示すように、指挿入孔１４の短軸Ｓを基準として、短軸Ｓと長軸Ｌの交点から６０°倒れた位置に接続されている。これにより、指挿入孔１４に人差し指を挿入したとき、信号線１９は他の指の動作を妨げることがない。
【００４７】
次に、本発明の第１の実施形態の作用について説明する。
【００４８】
図１に示すように、指挿入孔１４は、指の断面形状とほぼ同じ形状の略楕円形状とされている。これにより、ユーザーが指挿入孔１４に指を挿入することで、指挿入孔１４の長軸が指の断面形状の長軸と平行となる方向に相対的に回転して、基体部１２が指に装着されるので、図７（Ａ）及び図７（Ｂ）に示すように、指の挿入方向が二通りに限定される（本実施形態では、スイッチを操作する指（ここでは親指）に向けて挿入するので、指の挿入方向が、図１の手前側と奥側の二通りのみに限定される）。
【００４９】
そして、指挿入孔１４に指を挿入して、スイッチ１６、１８を押そうとすると、図７（Ａ）の場合は、スイッチ１６、１８が親指から離れた位置に設置されているので、ユーザーにはスイッチ１６、１８が押しづらく感じ、図７（Ｂ）の場合は、スイッチ１６、１８が親指側に設置されているので、ユーザーにはスイッチ１６、１８が押し易く感じる。従って、正しい指の挿入方向は、図７（Ｂ）に示す方向と特定できる。このように、指挿入孔１４を楕円形状とすることで、意図した方向に装着されるように示唆されている。
【００５０】
また、この指挿入孔１４に人差し指を挿入したときに、指挿入孔１４は人差し指にフィットして、回転方向の移動が規制されるので、基体部１２は人差し指の周りを回ることがない。
【００５１】
さらに、リモートコントロール装置１０を操作する際に、リモートコントロール装置１０が人差し指の周りを回らないように、他の指（中指や親指）で押さえる必要がないので、ストレスを受けることがない。さらに、リモートコントロール装置１０に設けられスイッチ１６、１８を操作する際、リモートコントロール装置１０は人差し指に装着されているため、わざわざリモートコントロール装置１０に視線を移動する必要がない。このため、リモートコントロール操作をスムーズに行うことができる。
【００５２】
次に、図３に基づいて、本発明の第２の実施形態に係るリモートコントロール装置２０について説明する。なお、第１の実施形態と同様の部分については、説明を割愛する。
【００５３】
基体部２２は樹脂材料（ポリスチレン）で形成され、基体部２２に形成された指挿入孔２４の孔壁の一部は切り開かれ、スリット２７が形成されている。スリット２７の幅Ｈは約２ｍｍとされており、基体部２２を正面から見たとき略Ｃ字状とされている。
【００５４】
また、基体部２２の外壁には、信号発生手段としての発光ダイオード（ＬＥＤ）２６が設置されている。ＬＥＤ２６は、図４に示すように、基体部２２の上面２２Ｂ、すなわち、指挿入孔２４に指を挿入したときに、基体部２２の手の甲側の面に設けられている。ここでは、図５に示すように、短軸Ｓを基準として、長軸Ｌと短軸Ｓの交点から±１０°の位置に配置されている。
【００５５】
なお、ＬＥＤ２６を配置する位置は、短軸Ｓを基準として長軸Ｌと短軸Ｓの交点から±８０°の振れ幅内に配置されていればよく、好ましくは±７０°の振れ幅内に設けるとよい。この範囲にＬＥＤ２６を配置することで、ＬＥＤ２６からの発信した光が他の指に遮られることがないので、リモートコントロール装置２０からの信号が、確実にコンピュータ２８（図６参照）の受信部３４に届けられる。
【００５６】
また、ここでは、基体部２２の側面２２Ａに設置されたスイッチ１６、１８は、通常コンピュータに用いられるマウスの左ボタン及び右ボタンに相当させている。
【００５７】
このように、指挿入孔２４が基体部２２を貫通して形成されているので、指挿入孔２４に人差し指を挿入したとき、人差し指の先端が指挿入孔２４から出るようになっている。このため、図６（Ａ）に示すように、リモートコントロール装置２０を人差し指に装着した状態でコンピュータ２８のキーボード３０を操作できる。さらに、ディスプレイ３２の画面上のカーソルを動かすときは、図６（Ｂ）に示すように、一旦、キーボード３０から指を離してＬＥＤ２６を受信部３４に向ければよい。そして、受信部３４の光電変換部（図示省略）が、ＬＥＤ２６から発信された拡散光を受光して、リモートコントロール装置２０の位置を検出することで、ディスプレイ３２の画面上の所望の位置にカーソルを合わせることが可能となる。
【００５８】
次に、本発明の第２の実施形態に係る作用について説明する。
【００５９】
図３に示すように、指挿入孔２４は、指の断面形状とほぼ同じ形状の略楕円形状とされている。これにより、ユーザーが指挿入孔１４に指を挿入することで、指挿入孔２４の楕円形状の長軸が指の断面形状の長軸と平行となる方向に相対的に回転して、基体部２２が指に装着されるので、図８（Ａ）、図８（Ｂ）、図８（Ｃ）及び図８（Ｄ）に示すように、指の挿入方向が四通りに限定される。
【００６０】
ここで、図８（Ａ）及び図８（Ｃ）の方向で指を挿入したときは、ＬＥＤ２６がユーザーの身体側に向いてしまい、信号が伝達されないので、この挿入方向は不適当であると判断される。そして、図８（Ｄ）の場合は、ＬＥＤ２６が正しい方向に向いているが、スイッチ１６、１８が下側に設置されているので、ユーザーにはスイッチ１６、１８を押すことができない。図８（Ｂ）の場合は、ＬＥＤ２６が正しい方向に向いており、また、スイッチ１６、１８が上側にされているため、スイッチ１６、１８を押すことができる。
【００６１】
従って、正しい指の挿入方向は、図８（Ｂ）に示す方向と特定できる。このように、指挿入孔２４を楕円形状とすることで、意図した方向に装着されるように示唆されている。
【００６２】
また、指挿入孔２４の孔壁の一部を切り開いてスリット２７を形成することで、指挿入孔２４に指を挿入したとき、スリット２７が人差し指に合わせて広がり、指挿入孔２４は人差し指にしっかりフィットし、人差し指の周りを回転することがない。
【００６３】
また、指挿入孔２４のサイズより大きい指を挿入した場合も、スリット２７が広がるので、ユーザーの人差し指が指挿入孔２４よりも大きい場合でも、指挿入孔２４に人差し指を挿入することができる。したがって、ユーザーの人差し指の大きさに合わせて、何タイプものリモートコントロール装置２０を用意する必要がなく、１台のリモートコントロール装置２０でほぼ全てのユーザーの人差し指に対応させることができるため、製造コストがかからない。
【００６４】
なお、本実施形態では、スイッチ１６、１８を基体部２２上に載置できる大きさのものを用いたが、図１１に示すように、基体部４２のスイッチ４４、４６が設置される面を大きく形成してもよい。これにより、スイッチ４４、４６を大きくできるので、スイッチ４４、４６の操作性が向上する。
【００６５】
次に、本発明の第３の実施形態に係るリモートコントロール装置５０について説明する。なお、第１及び第２の実施形態と同様の部分については、説明を割愛する。
【００６６】
図９に示すように、指挿入孔２４の孔壁のスリット２７が形成された反対側の一部が、ゴム部材５２で形成されている。
【００６７】
次に、本発明の第３の実施形態に係る作用について説明する。
【００６８】
図９に示すように、指挿入孔２４の孔壁の一部がゴム部材５２で形成されており、指挿入孔２４に人差し指を挿入したとき、指挿入孔２４のスリット２７及びゴム部材５２は、人差し指に合わせて広がる。ここで、ゴム部材５２の復元力によって指挿入孔２４の孔壁は元に戻ろうとするので、指挿入孔２４に挿入した人差し指にフィットして、基体部５４は指周りに回転しない。
【００６９】
なお、指挿入孔の形状は、指挿入孔に指を挿入する時に、指の挿入方向が何通りかに限定されるように、断面形状の縦軸と横軸が異なる寸法で形成されていれば、特に楕円に限定されることはない。基体部７０の正面から見たときに、指挿入孔７４の形状が、図１０（Ａ）に示すように長円状、図１０（Ｂ）に示すように略四角形状等の形状等も考えられる。もちろん、指挿入孔の形状を、長円状、略四角形状としたとき、図１０（Ｃ）及び図１０（Ｄ）に示すように、指挿入孔の孔壁の一部を切り開いてスリット７６を形成してもよい。これによって、指の挿入方向が限定され、基体部の指周りの回転を防止すると共に、ユーザーの指の大きさが限定されない。
【００７０】
また、図１２に示すように、指挿入孔７２を指の挿入側と反挿入側とで孔口の大きさが異なるように形成してもよい。この場合、指挿入孔７２に指を挿入するとき、孔口の大きい方から指を挿入する方が孔口が小さい方から指を挿入することに比べて確実に指を指挿入孔７２に挿入することが容易になるので、指の挿入方向が、リード線等がない場合でも、図１２（Ａ）及び図１２（Ｂ）の二通りに限定される。そして、図１２（Ａ）の場合は、ＬＥＤ２６がユーザーの身体側に向くので挿入方向が適当でないとわかり、正しい挿入方向は図１２（Ｂ）に示す方向であることがわかる。
【００７１】
なお、指挿入孔７２の開口縁には、指を挿入しやすくするため、Ｒ部７２Ａが形成されている。
【図面の簡単な説明】
【００７２】
【図１】本発明の第１の実施形態に係るリモートコントロール装置を示す斜視図である。
【図２】本発明の第１の実施形態に係るリモートコントロール装置を示す正面図である。
【図３】本発明の第２の実施形態に係るリモートコントロール装置を示す斜視図である。
【図４】本発明の第２の実施形態に係るリモートコントロール装置を指に装着した状態を示す斜視図である。
【図５】本発明の第２の実施形態に係るリモートコントロール装置を示す正面図である。
【図６】本発明の第２の実施形態に係るリモートコントロール装置を指に装着した状態を示す斜視図である。
【図７】本発明の第１の実施形態に係るリモートコントロール装置を、二通りの方向から指に装着した状態を示す斜視図である。
【図８】本発明の第２の実施形態に係るリモートコントロール装置を、四通りの方向から指に装着した状態を示す斜視図である。
【図９】本発明の第３の実施形態に係るリモートコントロール装置を指に装着した状態を示す斜視図である。
【図１０】本発明の第２の実施形態に係るリモートコントロール装置の変形例を示す斜視図である。
【図１１】本発明の第２の実施形態に係るリモートコントロール装置の変形例を示す斜視図である。
【図１２】本発明の第２の実施形態に係るリモートコントロール装置の変形例を示す側面図である。
【符号の説明】
【００７３】
１０  リモートコントロール装置
１２  基体部
１４  指挿入孔（装着部）
１６  スイッチ（操作ボタン）
１８  スイッチ（操作ボタン）
２０  リモートコントロール装置
２２  基体部
２４  指挿入孔（装着部）
３８  指挿入孔（装着部）
３６  基体部
４４  スイッチ（操作ボタン）
４６  スイッチ（操作ボタン）
５０  リモートコントロール装置
５２  ゴム部材
５４  基体部
【図１】
2005094425.tif 000004
【図２】
2005094425.tif 000005
【図３】
2005094425.tif 000006
【図４】
2005094425.tif 000007
【図５】
2005094425.tif 000008
【図６】
2005094425.tif 000009
【図７】
2005094425.tif 000010
【図８】
2005094425.tif 000011
【図９】
2005094425.tif 000012
【図１０】
2005094425.tif 000013
【図１１】
2005094425.tif 000014
【図１２】
2005094425.tif 000015